(57)【要約】集束された超音波処理または他の非侵襲的処理手順中に、処理標的または他の目的の対象の動きは、（ｉ）処理画像と、予想される動き範囲について処理前に取得され、その中の標的または他の対象の位置を識別するために処理された画像のリファレンスライブラリとの比較、ならびに（ｉｉ）処理中の標的の動きのステージに関連付けられた補完情報に基づいてリアルタイムでトラッキングすることができる。  【選択図】図２
2019522517.tif 000002
【特許請求の範囲】
【請求項１】
処理シーケンス中に少なくとも１つの動く解剖学的対象をトラッキングするための方法であって、
（ａ）前記処理シーケンスの前に、（ｉ）前記解剖学的対象の動き中に、該解剖学的対象を含んで成る解剖学的領域の、各々のリファレンス画像が前記動きの異なるステージに対応するリファレンス画像のシリーズを取得すること、および（ｉｉ）各画像について、前記対象に関連付けられた位置を決定するように前記画像を処理すること、
（ｂ）前記処理シーケンス中に、（ｉ）前記リファレンス画像よりも少ない情報を含む前記解剖学的領域の処理画像を取得すること、（ｉｉ）前記処理画像の取得中に補完情報を取得すること、（ｉｉｉ）前記処理画像のうちの少なくとも１つを、それらの間の類似性および前記補完情報に基づいて対応するリファレンス画像と関連付けること、（ｉｖ）前記対応するリファレンス画像における前記対象に関連付けられた位置に少なくとも部分的に基づいて前記少なくとも１つの処理画像における該対象をトラッキングすることを含んで成る方法。
【請求項２】
前記補完情報は、前記動きのステージ、動きセンサデータ、または先行する画像に関連する情報のうちの少なくとも１つを含んで成る、請求項１に記載の方法。
【請求項３】
先行する処理画像に関連する前記情報は、呼吸サイクル中に画像がいつ取得されたかを特定するメタデータである、請求項２に記載の方法。
【請求項４】
前記画像はＭＲＩ画像であり、前記処理画像に関連するｋ空間データを取得するためのシーケンスは、各々のｋ空間位置で符号化された情報のタイプに基づいて決定される、請求項１に記載の方法。
【請求項５】
前記処理画像に関連する前記ｋ空間データは、高周波数領域と低周波数領域とで交互に取得される、請求項４に記載の方法。
【請求項６】
前記処理シーケンスは、前記解剖学的対象の処理を含んで成る、請求項１に記載の方法。
【請求項７】
前記処理シーケンスは、前記トラッキングに基づいて、前記対象へと集束された超音波ビームを導くことを含んで成る、請求項１に記載の方法。
【請求項８】
前記処理シーケンスは、前記解剖学的対象以外の標的の処理を含んで成る、請求項１に記載の方法。
【請求項９】
前記処理中に、前記トラッキングに基づいて前記解剖学的対象を避けるように、前記標的へと集束超音波ビームを形成することをさらに含んで成る、請求項８に記載の方法。
【請求項１０】
前記少なくとも１つの解剖学的対象が、処理標的および非処理標的を含んで成る、請求項１に記載の方法。
【請求項１１】
前記処理シーケンスが、処理エネルギーに対する解剖学的標的の少なくとも１回の暴露をそれぞれ含んで成る複数の時間的に分離された処理シーケンスを含んで成る処理手順の一部であり、処理シーケンス中に使用される前記取得されたリファレンス画像のうちの少なくとも１つが、先行する処理シーケンス中に得られた処理画像である、請求項１に記載の方法。
【請求項１２】
各々の曝露は、前記解剖学的標的を音響エネルギーにさらすことである、請求項１１に記載の方法。
【請求項１３】
前記処理画像と前記対応するリファレンス画像との間のベースライン減算を実行することによって、前記解剖学的領域における温度をモニターすることをさらに含んで成る、請求項１に記載の方法。
【請求項１４】
前記リファレンス画像を処理することは、前記リファレンス画像の各々において少なくとも１つの解剖学的ランドマークを識別することを含んで成り、前記対象に関連する位置は、前記少なくとも１つの解剖学的ランドマークの位置であり、前記少なくとも１つの解剖学的ランドマークの位置は、前記対象の位置に対して既知である、請求項１に記載の方法。
【請求項１５】
前記標的をトラッキングすることは、前記対応するリファレンス画像における前記解剖学的ランドマークの位置から前記標的の位置を推定することを含んで成る、請求項１４に記載の方法。
【請求項１６】
前記対象に関連付けられた位置は、前記対象の位置である、請求項１に記載の方法。
【請求項１７】
類似性は生画像データに基づいて決定される、請求項１６に記載の方法。
【請求項１８】
前記シリーズは、少なくとも１つの画像を含んで成る、請求項１に記載の方法。
【請求項１９】
前記シリーズは、複数の画像を含んで成る、請求項１８に記載の方法。
【請求項２０】
前記処理シーケンス中に、前記リファレンス画像のシリーズに処理画像を追加することをさらに含んで成る、請求項１に記載の方法。
【請求項２１】
前記トラッキングされた対象の動きを前記リファレンス画像のシリーズと比較すること、およびそれに基づいて前記トラッキングされた動きをスムージングすることをさらに含んで成る、請求項１に記載の方法。
【請求項２２】
前記トラッキングされた対象の動きを前記リファレンス画像のシリーズと比較すること、およびそれに基づいてトラッキングエラーを検出することをさらに含んで成る、請求項１に記載の方法。
【請求項２３】
各リファレンス画像は複数の領域を含んで成り、前記処理シーケンスの前に、各領域について前記対象に関連する位置を決定するように、前記リファレンス画像を処理することをさらに含んで成る、請求項１に記載の方法。
【請求項２４】
各処理画像は少なくとも１つの領域を含んで成り、該少なくとも１つの領域は前記リファレンス画像における対応する領域と比較されて、それらの間の類似性が判定される、請求項２３に記載の方法。
【請求項２５】
前記処理画像における前記対象の位置は、前記対応するリファレンス画像における前記対応する領域内の前記対象に関連する位置に少なくとも部分的に基づいて決定される、請求項２４に記載の方法。
【請求項２６】
前記リファレンス画像の取得中に、前記補完情報を取得することをさらに含んで成る、請求項１に記載の方法。
【請求項２７】
処理シーケンス中に少なくとも１つの動く解剖学的対象をトラッキングするためのシステムであって、
（ａ）（ｉ）前記処理シーケンスの前に、前記解剖学的対象の動き中に、該解剖学的対象を含んで成る解剖学的領域の、各々のリファレンス画像が前記動きの異なるステージに対応するリファレンス画像のシリーズを取得するための、および（ｉｉ）前記処理シーケンス中に前記解剖学的領域の処理画像を取得するための、処理装置と共に動作可能なイメージング装置と、
（ｂ）前記処理画像の取得中に補完情報を取得するための手段と、
（ｂ）（ｉ）補完情報を受信するようになっており、（ｉｉ）各リファレンス画像について、前記対象に関連する位置を決定するために前記リファレンス画像を処理するようになっており、（ｉｉｉ）前記処理画像のうちの少なくとも１つと対応するリファレンス画像とを、それらの間の類似性および前記補完情報に基づいて関連付けるようになっており、（ｉｉｉ）前記対応するリファレンス画像における前記対象に関連付けられた位置に少なくとも部分的に基づいて前記少なくとも１つの処理画像における該対象をトラッキングするようになっている計算ユニットとを含んで成る、システム。
【請求項２８】
前記補完情報を取得するための手段は、画像メタデータを受け取るための入力デバイス、動きセンサ、または先行する処理画像に関連する情報を抽出するため、もしくは直近の処理画像に関連する前記動きのステージの情報を推定するための計算モジュールのうちの少なくとも１つを含んで成る、請求項２７に記載のシステム。
【請求項２９】
前記イメージング装置は、ＭＲＩ装置を含んで成り、前記計算ユニットは、各ｋ空間位置において符号化された情報のタイプに基づいて、前記処理画像に関連するｋ空間データの取得シーケンスを決定するようにさらになっている、請求項２７に記載のシステム。
【請求項３０】
前記計算ユニットは、交互の高周波領域と低周波領域とにおいて、前記ｋ空間データを交互に取得するようになっている、請求項２９に記載のシステム。
【請求項３１】
前記処理装置は、超音波トランスデューサを含んで成る、請求項２７に記載のシステム。
【請求項３２】
前記計算ユニットは、前記トラッキングに基づいて、前記トランスデューサによって生成された超音波ビームを前記対象へと集束させるようにさらになっている、請求項３１に記載のシステム。
【請求項３３】
前記処理シーケンスは、前記解剖学的対象以外の標的の処理を含んで成り、前記計算ユニットは、前記トラッキングに基づいて前記対象を回避するように、前記トランスデューサによって生成された超音波ビームをさらに形成するようになっている、請求項３１に記載のシステム。
【請求項３４】
前記処理シーケンスは、解剖学的標的の処理エネルギーへの少なくとも１回の暴露をそれぞれ含んで成る複数の時間的に分離された処理シーケンスを含んで成る処理手順の一部であり、前記計算ユニットは、処理シーケンスのうちの最初の処理シーケンス中に取得された処理画像を、処理シーケンスのうちの次の処理シーケンスのためのリファレンス画像として使用するようになっている、請求項２７に記載のシステム。
【請求項３５】
前記計算ユニットは、前記処理画像と前記対応するリファレンス画像との間のベースライン減算を実行することによって、前記解剖学的領域における温度をモニターするようにさらになっている、請求項２７に記載のシステム。
【請求項３６】
前記計算ユニットは、前記リファレンス画像の各々における少なくとも１つの解剖学的ランドマークを識別するようにさらになっており、前記対象に関連する位置は、前記少なくとも１つの解剖学的ランドマークの位置であり、前記少なくとも１つの解剖学的ランドマークの位置は、前記対象の位置に対して既知である、請求項２７に記載のシステム。
【請求項３７】
前記計算ユニットは、前記対応するリファレンス画像における前記解剖学的ランドマークの位置から前記標的の位置を推定することによって、該標的をトラッキングするようにさらになっている、請求項３６に記載のシステム。
【請求項３８】
前記計算ユニットは、生画像データに基づいて、前記処理画像を前記リファレンス画像と関連付けるようになっている、請求項２７に記載のシステム。
【請求項３９】
前記計算ユニットは、前記リファレンス画像のシリーズに処理画像を追加するようにさらに構成されている、請求項２７に記載のシステム。
【請求項４０】
前記計算ユニットは、前記トラッキングされた対象の動きを前記リファレンス画像のシリーズと比較し、それに基づいて前記トラッキングされた動きをスムージングするようにさらになっている、請求項２７に記載のシステム。
【請求項４１】
前記計算ユニットは、前記トラッキングされた対象の動きを前記リファレンス画像のシリーズと比較し、それに基づいてトラッキングエラーを検出するようにさらになっている、請求項２７に記載のシステム。
【請求項４２】
各リファレンス画像は複数の領域を含んで成り、前記計算ユニットは、前記処理シーケンスの前に、各領域について、前記対象に関連する位置を決定するために前記リファレンス画像を処理するようにさらになっている、請求項２７に記載のシステム。
【請求項４３】
各処理画像は、少なくとも１つの領域を含んで成り、前記計算ユニットは、前記少なくとも１つの領域を前記リファレンス画像における対応する領域と比較して、それらの間の類似性を決定するようにさらになっている、請求項４２に記載のシステム。
【請求項４４】
前記計算ユニットは、前記対応するリファレンス画像における前記対応する領域内の前記対象に関連付けられた位置に少なくとも部分的に基づいて、前記処理画像における前記対象の位置を決定するようにさらになっている、請求項４３に記載のシステム。
【請求項４５】
前記計算ユニットは、前記リファレンス画像の取得中に前記補完情報を取得するようにさらになっている、請求項２７に記載のシステム。
【請求項４６】
処理の間に動く解剖学的対象をトラッキングするための方法であって、
（ａ）前記処理の前に、
（ｉ）前記解剖学的対象の動き中に、該解剖学的対象を含んで成る解剖学的領域の、各々のリファレンス画像が前記動きの異なるステージに対応するリファレンス画像のシリーズを取得すること、および
（ｉｉ）各画像について、前記対象に関連付けられた位置を決定するように前記画像を処理すること、
（ｂ）前記処理中に、
（ｉ）前記解剖学的対象に関連付けられた画像データを取得するために、複数の走査線を含んで成る走査シーケンスを実行すること、
（ｉｉ）前記画像データの取得中に前記解剖学的対象に関連付けられた補完情報を取得すること、
（ｉｉｉ）少なくとも１つのマッチングするリファレンス画像を識別するように、前記取得された画像データと前記リファレンス画像との間の類似性を計算すること、
（ｉｖ）前記マッチングするリファレンス画像の数が閾値を下回っているかどうかを判定すること、ならびに
前記マッチングするリファレンス画像の数が閾値を下回っている場合、前記類似性および前記補完情報に基づいて前記マッチングするリファレンス画像のうちの１つを選択し、該選択されたリファレンス画像における前記解剖学的対象に関連付けられた位置から該解剖学的対象の位置を推測すること、
前記マッチングするリファレンス画像の数が閾値を下回っていない場合、所定の走査シーケンスに基づいて、前記解剖学的対象の前記画像データを取得するように次の走査ラインで前記走査シーケンスを実行すること、ならびにステップ（ｉｉ）、（ｉｉｉ）および（ｉｖ）を繰り返すことを含んで成る、方法。
【発明の詳細な説明】
【技術分野】
【０００１】
本発明は、一般に、動く組織または器官をトラッキングすることに関し、特に、非侵襲的治療中にその動きをトラッキングすることに関する。
【背景技術】
【０００２】
患者の頭蓋または他の身体領域内の良性もしくは悪性の腫瘍または血塊などの組織は、外科的に組織を除去することによって侵襲的に処理することができ、または例えば熱アブレーションを使用して非侵襲的に処理することができる。どちらの方法も身体内の特定の限局性の状態を効果的に処理し得るが、健康な組織を破壊すること、または傷つけることを避けるために繊細な処置が必要である。健康な組織を助けることができないか、またはその破壊が生理学的機能に悪影響を及ぼすことが考えにくい場合を除き、罹患組織が健康な組織内に組み込まれている状態では手術が適切ではない場合がある。
【０００３】
集束超音波を使用して達成され得るような熱アブレーションは、超音波エネルギーの影響が明確に定められた標的領域に限定され得るため、健康な組織または器官によって囲まれた疾患組織を処理するための特別な訴求力を有する。超音波エネルギーは、比較的短い波長（例えば、１メガヘルツ（１ＭＨｚ）での断面積が１．５ミリメートル（ｍｍ）と小さい）に起因して、わずか数ミリメートルの断面を有するゾーンに集束することができる。さらに、音響エネルギーは一般に柔らかい組織を十分に貫通するので、介在する組織はしばしば所望の焦点ゾーンを規定するのに障害を及ぼさない。したがって、周囲の健康な組織に著しい損傷を与えることなく、病変組織を切除するために、超音波エネルギーを小さな標的に集中させることができる。
【０００４】
超音波集束システムは、一般に、超音波ビームを生成するために音響トランスデューサ表面またはトランスデューサ表面のアレイを利用する。トランスデューサは、幾何学的形状を有してよく、患者内の標的組織塊（mass）に対応する「焦点ゾーン（focal zone）」に超音波エネルギーを集中させるように位置付けられてもよい。組織を通る波の伝播の間、超音波エネルギーの一部は吸収され、温度が上昇し、最終的には、好ましくは、焦点ゾーンにおける標的組織塊で細胞壊死に至る。トランスデューサアレイの個々の表面または「素子（elements）」は、典型的に、個々に制御可能である。すなわち、それらの位相および／または振幅を互いに独立して設定することができ（例えば、連続波および素子用の増幅回路の場合における適切な遅延シフトまたは位相シフトを有する「ビームフォーマ（beamformer）」を用いて）、ビームを所望の方向に導き、所望の距離に集束されること、および焦点ゾーンの特性が必要に応じて形成されることを可能にする。したがって、トランスデューサ素子に入力される電気信号の振幅および位相を独立に調整することにより、焦点ゾーンを迅速に変位および／または再形成することができる。
【０００５】
しかし、人体は柔軟性があり、たとえ患者が静止していても（呼吸、例えば、小規模な不随意運動により）動くため、時間の経過とともに複数の超音波処理が施される処理は（数秒以内に施された場合でも）、標的化および／または１または複数の処理パラメータに対する暫定的調整を必要とする場合がある。したがって、超音波ビームを標的に集中させたままにし、周囲の健康な組織に損傷を与えないようにするためには、動きに対する補償が必要である。
【０００６】
したがって、磁気共鳴イメージング（ＭＲＩ）などのイメージングモダリティは、標的組織および超音波焦点の両方の位置をモニターするために非侵襲的治療中の超音波集束と共に使用することができる。一般に、図１に示すようなＭＲＩシステム１００は、静磁場磁石１０２、１以上の傾斜磁場コイル１０４、高周波（ＲＦ）送信機１０６、およびＲＦ受信機（図示せず）を含む。（いくらかの実施形態では、ＲＦ送信機または受信機として同じデバイスが交互に使用される。）磁石は、患者１１０をその中に収容するための領域１０８を含み、静的で比較的均一な磁場を患者に供する。傾斜磁場コイル１０４によって生成された時変磁場勾配は、静磁場と重畳される。ＲＦ送信機１０６は、患者１１０にＲＦパルスシーケンスを送り、患者の組織に（時変の）ＲＦ応答信号を放射させる。このＲＦ応答信号は、生画像データを構成する時系列の応答信号を生成するために、（２次元または３次元の）イメージング領域全体にわたって統合され、ＲＦ受信機によってサンプリングされる。この生データは、計算ユニット１１２に送られる。時系列の各データポイントは、ｋ空間（すなわち、波ベクトル空間）内の特定の点における位置依存局所磁化のフーリエ変換の値として解釈することができ、波ベクトルｋは磁場の時間発展の関数である。したがって、応答信号の時系列をフーリエ変換することによって、計算ユニット１１２は、組織の実空間画像（すなわち、測定された磁化に影響を及ぼす組織特性を空間座標の関数として示す画像）を生データから再構成することができる。次いで、実空間磁気共鳴（ＭＲ）画像をユーザに表示してもよい。ＭＲＩシステム１００は、医療処理を計画するとともに、処理中の処理進行をモニターするために使用されてよい。例えば、ＭＲＩを用いて、解剖学的領域をイメージングし、領域内の標的組織（例えば、腫瘍）を特定し、超音波トランスデューサ１１４によって生成されたビームを標的組織にガイドし、ならびに／または標的組織および標的組織周囲の温度をモニターしてもよい。
【０００７】
ＭＲＩガイド集束超音波（ＭＲｇＦＵＳ）システムなどの画像ガイドシステムにおいて、動き補償は、一般に画像内の標的を（直接的または間接的に）トラッキングし、トラッキングされた位置に基づいて超音波ビームを導くことによって達成される。標的トラッキングの１つのアプローチは、各画像内に位置することができる１以上の識別可能な特徴または「解剖学的ランドマーク」のセットの座標を決定すること、およびこれらの座標に基づいて、ランドマークに対して既知の位置にあると推定される標的の動きを計算するステップとを含む。別のアプローチでは、連続画像間の相対的なシフトは、ある画像を他の画像の多数の計算的にシフトされたコピーと関連付け、最良のマッチングを供するシフトされた画像を選択することによって決定される。いずれの場合も、標的位置を決定するために膨大な画像処理時間が費やされ、有効イメージングレートが低下し、リアルタイムの動き補償が妨げられることが多い。場合によっては、標的の動きを認識して定量化する際の遅延が、許容範囲内でビームターゲッティングの不正確さを引き起こす。しかしながら、しばしば、処理プロセスを停止させ、処理が再開される前に、標的組織または標的器官の変位に起因するミスアライメントを補正することが必要になる。これは、処理プロセスにおいて著しい非効率をもたらし、不都合な遅延を引き起こす可能性がある。
【０００８】
したがって、処理中にリアルタイムで標的をトラッキングし、その動きを補償することを容易にする改善された動きトラッキングアプローチが必要である。
【発明の概要】
【０００９】
本発明は、画像ガイド処理手順中または画像ガイド処理システムの較正中に、リアルタイムで目的領域における標的（target）または他の対象の動き（または運動、motion）をトラッキングする（または追跡する、tracking）ためのシステムおよび方法を供する。特に、本発明は、画像ガイド処理手順中に、リアルタイムで目的の解剖学的領域（anatomical region）における処理標的または他の対象の動きをトラッキングするためのシステムおよび方法を供する。種々の実施形態では、例えば、処理前にＭＲＩ装置を用いてリファレンス画像のライブラリを取得する。リファレンス画像は、周期的動作（例えば、完全な呼吸サイクル）または非周期的動作（例えば、患者の動き）の予測範囲をカバーする。次に、リファレンス画像を処理して（直接的または間接的に）それにおける目的の対象（object of interest）を位置付ける。位置情報は、それぞれのリファレンス画像とともに保存される。リファレンス画像は、生（または未処理の、raw）ｋ空間（k-space）画像データおよび／または再構成された実空間画像データとして保存されてもよい。
【００１０】
処理中または較正中に、目的の領域（例えば、目的の解剖学的領域またはブランク内の目的の領域）の動きをリアルタイムでトラッキングするために、生ｋ空間画像データの画像マトリックスまたはサブ画像マトリックス（すなわち、部分データ）は繰り返し取得される。いずれの場合でも、サブ画像マトリックスは、リファレンスライブラリにおけるｋ空間画像データの対応する部分（すなわち、ｋ空間の実質的に同じ部分に位置するデータ）と比較され、それらの間の画像類似性（または類似度、similarity）を判定することができる。代替的に、または付加的に、サブ画像マトリックスを使用して、縮小されたフレームサイズおよび／または空間解像度を有する実空間サブ画像を再構成することができ、サブ画像は、リファレンスライブラリにおける実空間画像データと比較され、マッチングされる（または一致させる、matched）。識別目的のためにサブ画像マトリックス（または部分生データ）を使用することは、明らかに収集時間および処理時間を減少させるが、曖昧さをもたらす場合がある。場合によっては、複数の画像が部分生データ（または再構成された実空間画像）とマッチングする場合がある。したがって、あまりにも密接にマッチングするリファレンス画像が曖昧さなしに識別された場合（すなわち、１つのリファレンス画像のみが識別される場合）、そのリファレンス画像における各目的の対象の位置は、同様に処理サブ領域におけるそれぞれの対象の位置とみなされる。しかしながら、複数のリファレンス画像が処理サブ画像（またはサブ画像マトリックス）との十分に高い類似性（例えば、所定の閾値以上）を有する場合、種々の実施形態では、補完情報（または補足情報、complementary information）（例えば、追加の画像関連および/または動き関連の情報）を、処理サブ画像またはサブ画像マトリックスに最もマッチングするリファレンス画像を識別するために利用してもよい（すなわち、処理サブ画像またはサブ画像マトリックスが最も対応する可能性が高い）。
【００１１】
また、最もマッチングするリファレンス画像が識別されると、最もマッチングするリファレンス画像における目的の対象の位置は、処理サブ画像におけるそれぞれの対象の位置とみなされる。したがって、本発明は、従来のトラッキングアプローチと比較して、部分画像データ（すなわち、部分生ｋ空間データおよび／または実空間サブ画像）のみを取得および処理することによって、処理中に必要とされる画像取得および処理時間を大幅に低減する。部分画像データは、目的の対象の解剖学的領域を含み、したがって、限定された遅延を伴う目的の対象のリアルタイムの動きトラッキングを容易にする。さらに、例えば動きの予想される範囲のステージ、１以上の動きセンサからの読み出し、先行する処理画像に関連する情報などを含む補完情報は、部分データを使用する画像比較に起因する曖昧さを解決し得、それによって、処理中に取得された部分生データおよび／またはサブ画像に最もマッチングするリファレンス画像を正しく識別し得る。
【００１２】
いくらかの実施形態では、ｋ空間画像データが連続行単位または連続列単位で取得される従来のアプローチとは異なり、本発明におけるｋ空間内の画像データは、低周波領域および高周波領域において交互に取得される。取得された画像データは、取得時にライブラリに保存された画像データと比較するために実質的に同時に処理され、リファレンス画像が候補マッチングであるかどうかを決定する。識別されたリファレンス画像の数が所定の閾値未満（例えば、５つ未満のリファレンス画像）である場合には、唯一のリファレンス画像が最良のマッチング画像として識別できるかどうかを判断するための補完情報が供される。そうでない場合、または識別されたリファレンス画像の数が所定の閾値を超える場合、データ取得プロセスは継続する。すなわち、低周波領域および高周波領域における次の画像データを交互に取得する。このステップは、１のリファレンス画像のみが処理サブ画像に最もマッチングする画像として識別されるまで反復的に実施することができる。このアプローチを使用して取得された処理画像データは、高周波情報および低周波情報の両方を含むことが有利であり、いくらかの実施形態では、データ自体または補完情報と組み合わせることは、ｋ空間を埋めるためのデータ全体を取得する必要無しに１の最もマッチングする画像を識別するために十分である。したがって、本発明のアプローチは、画像取得における遅延を低減し、処理中の画像処理時間を大幅に節約することができる。
【００１３】
したがって、一実施形態では、本発明は、処理シーケンス中に、目的の１以上の（典型的に動いている）対象（目的の解剖学的対象、例えば、処理標的および／もしくは非処理標的を含む対象）をトラッキングする方法を供する。種々の実施形態では、この方法は、処理シーケンスの前に、目的の対象（例えば、目的の解剖学的対象）を含む領域（例えば、解剖学的領域）のリファレンス画像のシリーズ（もしくは、一連のリファレンス画像、series of reference images）（すなわち、少なくとも１つの画像、および典型的には複数の画像）を、その対象が動いている間に取得すること（各リファレンス画像は動きの異なるステージ（または段階、stage）に対応する）、ならびに／またはリファレンス画像の取得中に補完情報を取得すること、ならびに各画像について、目的の対象に関連付けられたそれらにおける位置を決定するように画像を処理することを含む。オプションとして、動きのステージ、動きセンサデータ、および／または先行する画像に関連する情報（例えば、呼吸サイクル中に画像が取得された時を特定するメタデータ）などの補完情報をリファレンス画像の取得中に取得することができる。この方法は、処理シーケンス中に、解剖学的領域の処理画像を取得すること、および処理画像の取得中に補完情報を取得することをさらに含む。一般に、処理画像はリファレンス画像よりも少ない情報（例えば、より少ない画像データ）を含む。次いで、それらの間の類似性および補完情報に基づいて、１以上の処理画像がリファレンス画像に関連付けられ（correlated）、続いて、目的の対象が、対応するリファレンス画像における対象に関連付けられた位置に少なくとも部分的に基づいて、処理画像においてトラッキングされる。本明細書では、「取得する（acquiring）」という用語は、センサまたはイメージャからデータを取得すること、リファレンスライブラリまたは処理画像などのソースからデータを読み出すこと、および既存のデータから新しい情報を計算もしくは導出することを含む。種々の実施形態では、この方法は、処理画像と対応するリファレンス画像との間のベースライン減算を実行することによって、解剖学的領域内の温度をモニターすることをさらに含む。
【００１４】
本出願の開示を通して、「処理シーケンス（treatment sequence）」は、処理（例えば、超音波処理）が実施されるシーケンスであってよく、または「処理シーケンス」は、実施される任意の処理が存在しないシーケンスの実施を指してもよい。同様に、「処理画像（treatment image）」は、「処理された、または処理なしの処理シーケンス」中に得られた画像を指す。
【００１５】
したがって、この方法はオプションとして任意の処理を含まない。種々の実施形態では、この方法は、ヒトまたは動物の体の処理方法ではないか、または関わりがない（compromise）。種々の実施形態では、画像はＭＲＩ画像であり、処理画像に関連するｋ空間データを取得するためのシーケンスは、各ｋ空間位置で符号化された情報のタイプに基づいて決定される。例えば、処理画像に関連付けられたｋ空間データは、高周波領域と低周波領域とで交互に取得される。
【００１６】
処理シーケンスは、例えば、トラッキングに基づいて対象に集束超音波ビームを導くことによって、解剖学的対象の処理を含んでよい。あるいは、処理シーケンスは、解剖学的対象以外の標的の処理を含んでもよい（すなわち、処理中に、トラッキングに基づいて解剖学的対象を避けるように、集束された超音波ビームが標的に形成される）。さらに、処理シーケンスは、処理エネルギー（または治療エネルギー、therapeutic energy）に対する解剖学的標的の１回以上の曝露をそれぞれ有する、複数の時間的に分離された処理シーケンスを含む処理手順の一部であってもよい。処理シーケンス中に使用される取得されたリファレンス画像の１以上は、先行する処理シーケンス中に取得された処理画像であってもよい。一実施形態では、各曝露は、解剖学的標的を音響エネルギーにさらすことである。
【００１７】
いくらかの実施形態では、リファレンス画像は、リファレンス画像のそれぞれにおいて、１以上の解剖学的ランドマーク（または標識、landmark）を識別するように処理される。対象に関連する位置は、解剖学的ランドマークの位置であり、解剖学的ランドマークの位置は、対象の位置に対して既知である。次いで、標的の位置は、対応するリファレンス画像における解剖学的ランドマークの位置から推測される。
【００１８】
対象に関連する位置は、対象の位置であってもよい。類似性は生画像データに基づいて決定されてもよい。画像シリーズは、１以上の画像を含んでもよい。さらに、この方法は、処理シーケンス中に、リファレンス画像のシリーズに処理画像を追加することをさらに含んでもよい。一実施形態では、この方法は、リファレンス画像のシリーズに対してトラッキング対象の動きを比較し、それに基づいて、トラッキングされた動きをスムージングし、および／またはトラッキングエラーを検出することを含む。
【００１９】
種々の実施形態では、各リファレンス画像は複数の領域を含み、この方法は、処理シーケンスの前に、各領域について、対象に関連付けられた位置を決定するためにリファレンス画像を処理することをさらに含む。各処理画像は、１以上の領域を含んでもよく、その領域は、リファレンス画像内の対応する領域と比較され、それらの間の類似性が判定される。処理画像における対象の位置は、対応するリファレンス画像内の対応する領域における対象に関連する位置に少なくとも部分的に基づいて決定される。
【００２０】
別の実施形態では、本発明は、処理シーケンス中に１以上の動く対象（処理標的および／または非処理標的を含む対象）をトラッキングするためのシステムに関する。種々の実施形態では、システムは、処理装置（例えば、超音波トランスデューサ）と共に動作可能であり、（ｉ）前記処理シーケンスの前に、動き中の対象（例えば、目的の解剖学的対象）を有する領域（例えば、解剖学的領域）のリファレンス画像のシリーズを取得するように（各々のリファレンス画像は動きの異なるステージに対応する）、また（ｉｉ）処理シーケンス中に解剖学的領域の処理画像を取得するように適用された、イメージング装置（例えば、ＭＲＩ装置）を含む。さらに、システムは、処理画像および／またはリファレンス画像の取得中に補完情報を取得するための手段と、（ｉ）補完情報を受信するようになっており、（ｉｉ）各リファレンス画像について、対象に関連する位置を決定するためにリファレンス画像を処理するようになっており、（ｉｉｉ）処理画像の１以上と対応するリファレンス画像とを、それらの間の類似性および補完情報に基づいて関連付けるようになっており、（ｉｉｉ）対応するリファレンス画像における対象に関連付けられた位置に少なくとも部分的に基づいて処理画像における対象をトラッキングするようになっている計算ユニットとを含む。一実施形態では、計算ユニットは、リファレンス画像の取得中に補完情報を取得するようにさらになっている。
【００２１】
補完情報を取得するための手段は、画像メタデータを受信するための入力デバイス、動きセンサ、および／または先行する処理（または、リファレンス）画像に関連する情報を抽出するため、もしくは直近の処理画像に関連する動きのステージの情報を推定するための計算モジュールを含んでもよい。さらに、計算ユニットは、各ｋ空間位置において符号化された情報のタイプに基づいて処理画像に関連するｋ空間データの取得シーケンスを決定するようにさらになっていてもよい。例えば、計算ユニットは、高周波領域と低周波領域とでｋ空間データを交互に取得するようになっていてもよい。
【００２２】
計算ユニットは、トラッキングに基づいてトランスデューサによって生成された超音波ビームを対象に集束させるようにさらになっていてもよい。処理シーケンスは、解剖学的対象以外の標的の処理を含んでもよい。計算ユニットは、トラッキングに基づいて対象を回避するように、トランスデューサによって生成された超音波ビームを形成するようにさらになっている。いくらかの実施形態では、処理シーケンスは、処理エネルギーに対する解剖学的標的の１以上の曝露をそれぞれ含む、複数の時間的に分離された処理シーケンスを含む処理手順の一部である。計算ユニットは、処理シーケンスのうちの最初の処理シーケンス中に取得された処理画像を、処理シーケンスのうちの次の処理シーケンスのためのリファレンス画像として使用するようにさらになっている。
【００２３】
さらに、計算ユニットは、処理画像と対応するリファレンス画像との間のベースライン減算を実行することによって、解剖学的領域における温度をモニターするようにさらになっていてもよい。種々の実施形態では、計算ユニットは、リファレンス画像の各々における１以上の解剖学的ランドマークを識別するようにさらになっている。対象に関連する位置は、解剖学的ランドマークの位置であり、解剖学的ランドマークの位置は、対象の位置に対して既知である。さらに、計算ユニットは、対応するリファレンス画像における解剖学的ランドマークの位置から標的の位置を推定することによって標的をトラッキングするようにさらになっている。
【００２４】
計算ユニットは、生画像データに基づいて処理画像をリファレンス画像と関連付けるようになっていてもよい。また、計算ユニットは、リファレンス画像のシリーズに処理画像を追加するようになっていてもよい。さらに、計算ユニットは、リファレンス画像のシリーズに対してトラッキングされた対象の動きを比較し、それに基づいて、トラッキングされた動きをスムージングし、および／またはトラッキングエラーを検出するようになっている。種々の実施形態では、各リファレンス画像は複数の領域を含み、計算ユニットは、各領域について、処理シーケンスの前に対象に関連付けられた位置を決定するためにリファレンス画像を処理するようになっている。各処理画像は１以上の領域を含み、計算ユニットは、その領域をリファレンス画像における対応する領域と比較して、それらの間の類似性を判定し、続いて、対応するリファレンス画像における対応する領域内の対象に関連付けられた位置に少なくとも部分的に基づいて、処理画像における対象の位置を決定するようにさらになっている。
【００２５】
別の実施形態では、本発明は、処理中に動く解剖学的対象をトラッキングする方法に関する。種々の実施形態では、この方法は、処理の前に、動き中の解剖学的対象を有する解剖学的領域のリファレンス画像のシリーズ（各リファレンス画像は動きの異なるステージに対応する）を取得すること、および各画像について対象に関連付けられた位置を決定するように画像を処理することを含む。さらに、この方法は、処理中に、（ｉ）解剖学的対象に関連付けられた画像データを取得するために、複数の走査線を含む走査シーケンスを実行すること、（ｉｉ）画像データの取得中に解剖学的対象に関連付けられた補完情報を取得すること、（ｉｉｉ）１以上のマッチングするリファレンス画像を識別するように、取得された画像データとリファレンス画像との間の類似性を計算すること、（ｉｖ）マッチングするリファレンス画像の数が閾値を下回っているかどうかを判定すること、ならびに、マッチングするリファレンス画像の数が閾値を下回っている場合、類似性および補完情報に基づいてマッチングするリファレンス画像のうちの１つを選択し、選択されたリファレンス画像における解剖学的対象に関連付けられた位置から解剖学的対象の位置を推測すること、マッチングするリファレンス画像の数が閾値を下回っていない場合、所定の走査シーケンスに基づいて、解剖学的対象の画像データを取得するように次の走査ラインで走査シーケンスを実行すること、ならびにステップ（ｉｉ）、（ｉｉｉ）および（ｉｖ）を繰り返すことを含む。
【００２６】
本明細書で使用する「実質的に（substantially）」という用語は、約１０％を意味し、ある実施形態において約５％を意味する。本明細書を通して、「一例（one example、またはan example）」、「一実施形態（one embodiment、またはan embodiment）」とは、例に関連して記載される特定の特徴、構造、または特性が、本技術の少なくとも一例を含むことを意味する。したがって、本明細書全体の様々な箇所における「一例において（in one example、またはin an example）」、「一実施形態（one embodiment、またはan embodiment）」という語句は必ずしも全て同じ例を指しているわけではない。さらに、特定の特徴、構造、ルーチン、ステップ、または特性は、技術の１以上の例において、あらゆる適切な方法で組み合わせてもよい。本明細書で供される見出しは、便宜上のものであり、請求される技術の範囲または意味を限定または解釈することを意図するものではない。
【図面の簡単な説明】
【００２７】
図面において、同様の参照符号は、概して、異なる図を通して同じ部分を指す。また、図面は必ずしも原寸に比例するものではなく、その代わりに本発明の原理を例示することに重点が置かれている。以下の記載では、本発明の種々の実施形態を以下の図面を参照して記載する。
【００２８】
【図１】図１は、種々の実施形態によるＭＲＩガイド焦点式超音波システムを示す図である。
【図２】図２は、種々の実施形態によるトラッキング方法を示すフローチャートである。
【図３】図３は、種々の実施形態による補間アプローチを使用して標的位置をｋ空間画像データの種々の部分と関連付けることを示す。
【図４】図４Ａおよび図４Ｂは、種々の実施形態によるリファレンスライブラリにおける部分的なｋ空間画像データを保存することを示す図である。
【図５】図５Ａ〜図５Ｄは、種々の実施形態による処理中にｋ空間データを取得するためのシーケンスを示す図である。
【図６】図６は、種々の実施形態による処理中に取得された画像データとマッチングするリファレンス画像を識別する方法を示すフローチャートである。
【図７】図７Ａ〜図７Ｃは、種々の実施形態による処理中の部分的なｋ空間画像データを取得することを示す。
【図８】図８は、種々の実施形態による処理画像およびライブラリにおけるリファレンス画像を示す図である。
【図９Ａ】図９Ａは、ｋ空間画像データを取得する従来の方法を示す。
【図９Ｂ】図９Ｂは、種々の実施形態による処理中にｋ空間データを取得するための様々なシーケンスを示す。
【図９Ｃ】図９Ｃは、種々の実施形態による処理中にｋ空間データを取得するための様々なシーケンスを示す。
【図９Ｄ】図９Ｄは、ｋ空間画像データを取得する別の従来の方法を示す。
【図１０Ａ】図１０Ａは、従来の温度測定方法を示すフローチャートである。
【図１０Ｂ】図１０Ｂは、種々の実施形態による標的トラッキングと併用した温度測定の方法を示すフローチャートである。
【図１１】図１１は、種々の実施形態による画像処理および制御機能を示すブロック図である。
【発明の実施するための形態】
【００２９】
本発明は、画像ガイド手順の間にリアルタイムで目的の対象（例えば、処理対象）の動きをトラッキングするためのシステムおよび方法を供する。この手順は、例えば、物質、組織または器官を加熱する目的のために、それらへの集束超音波の適用（すなわち、その超音波処理）を含んでよく、例えば癌性であるか、または痛みの改善または温熱の制御された誘発などの非破壊的処理のために、組織を壊死させ、切除し、またはそうでなければ破壊するように使用してもよい。超音波は、例えば神経変性などの他の非熱的タイプの処理にも使用してもよい。あるいは、この手順は、例えば高周波（ＲＦ）放射、Ｘ線もしくはガンマ線、または荷電粒子などの異なる形態の処理エネルギーを使用してよく、または凍結切除などの他の処理様式を含んでもよい。様々な処理手順における動きトラッキングは、処理エネルギービームを標的ならびに／または他の非標的組織および器官の周辺に導くように、すなわち、影響される解剖学的領域の画像に基づいてビームの焦点、輪郭および／もしくは方向を調整するように供されてよい。いくらかの実施形態では、ビーム焦点を視覚化してもよい。ＭＲＩは、このような画像ベースの動きトラッキングのために広く使用されている技法である。しかしながら、例えば、Ｘ線イメージング、Ｘ線コンピュータ断層撮影（ＣＴ）、または超音波イメージングを含む他のイメージング技術をも使用してよく、これは本発明の範囲内である。さらに、動きトラッキングは、１以上の２次元画像および／または３次元画像を使用して達成されてもよい。種々の実施形態による方法を実施するための例示的なシステムは、図１に示されるようなＭＲｇＦＵＳシステムである。このシステムは、図４を参照して以下に詳細に記載するように、適切な画像処理および制御機能を有する。
【００３０】
図２は、種々の実施形態によるリアルタイムの動きトラッキングのための方法を示す。参照を容易にするために、以下の記載は標的トラッキングのみを参照する。しかしながら、同じ方法が一般に、目的の他の器官または組織（例えば、処理ビームからの傷害を受けやすい臓器）または物質のトラッキングにも同様に適用されることを理解すべきである。この方法は、目的のある手順の前に実行される準備ステップと、手順中に実行されるステップとを含む。第１準備ステップ２００において、標的を含む解剖学的領域の画像のシリーズが、それらが動いている間（または、その動きの間、during motion thereof）に取得される。各画像は、典型的には動きの異なるステージに対応し、このステージは、動きの予想される範囲を包括的にカバーする。例えば、画像のシリーズは、定期的な呼吸の動きまたは非周期的な動きの完全なサイクル中に規則的な間隔で採取されてもよい。別の例として、目的の領域（例えば、患者内の目的の解剖学的領域）は、不注意な散発的な動きから生じる位置の範囲を捕捉するために、一定の時間にわたってモニターされてもよい。ＭＲＩベースの方法では、典型的には、画像を取得するには、まず、生ｋ空間ＭＲ信号を取得し（ステップ２０２）、次に生データから実空間画像を再構成する（ステップ２０４）。ｋ空間画像データおよび実空間画像データの双方は、複素値である（すなわち、大きさおよび位相を有するか、または異なるように実数部および虚数部を有する）。オプションとして、いくらかの実施形態では、生ｋ空間画像データ２０２の取得中に補完情報（例えば、以下にさらに記載するような追加の画像関連情報および／または動き関連情報）を取得してもよい。補完情報は、部分データを使用する画像比較に起因する曖昧さを解決するために、処理中に取得された補完情報と比較されてよく、それによって、処理中に取得された部分生データおよび／またはサブ画像を最もマッチングさせるリファレンス画像を正しく識別してもよい。
【００３１】
次のステップ２０６では、実空間画像が処理されて、標的に関連する座標（例えば、標的座標自体、および／または標的に対して既知の（例えば、固定された）位置に配置された解剖学的ランドマークの座標など）が決定される。このステップは、当業者に既知のいくらかの特徴検出またはトラッキング方法のいずれかによって実施してもよい。いくらかの実施形態では、画像フレーム内の絶対座標（例えば、行番号および列番号に関する座標）において、またはエッジ検出もしくはブロブ検出などを用いるイメージングシステムの座標系において、標的および／またはランドマークの位置は、別個に各画像のために決定される。他の実施形態では、異なる画像間における標的および／またはランドマークの位置における関連する変化（例えば、座標差または変換／動きベクトルで表現される変化）が決定される。例えば、シリーズの第１画像における標的の位置は、任意に原点として指定されてもよく、後続の画像における標的の位置は、その原点に対して測定されてもよい。ブロックマッチングアルゴリズム、位相相関および周波数領域法、ピクセル再帰アルゴリズム、ベイジアン推定（例えば、最大事後確率（ＭＡＰ）推定値もしくはマルコフのランダムフィールドモデル）および／またはオプティカルフロー法などのピクセルベースの「直接的な」方法、ならびに／または画像間の対応する特徴（例えば、ハリスコーナーなど）をマッチングさせる特徴ベースの「間接的な」方法によって、動きベクトルを取得することができる。ブロックマッチングアルゴリズムは、例えば、多数の既知のベクトルによって第１画像の一部分（または「ブロック」）を計算的にシフトさせること、およびブロックの結果のコピーを後続の画像と関連付けて最良のマッチングを識別することを含む。重要なことに、画像処理ステップ２０６は、一般に、リアルタイムで標的トラッキングと共にではなく、その前に実行されるので、標的位置を決定することに関連する計算コストは、適切な方法の選択において重要性が低い。
【００３２】
この方法は、リファレンス画像および処理画像を取得するためのＭＲＩ走査を含んで成ってよく、イメージング装置は、ＭＲＩ走査を実行するようになっていてもよい。典型的には、ＭＲＩ走査の間に、ｋ空間データが１行ずつ取得される。図３を参照して、例えば、ライブラリの１つのリファレンス画像（例えば、ｘ番目の画像）において、ｋ空間画像データの上２列（領域Ａとラベルされる）は、時間間隔ｔ０〜ｔ１の間において、単一ショット中に、またはＭＲＩ手順の最初の２つのショット中に取得されてよく、次の２つのデータ行（領域Ｂとラベルされる）は、時間間隔ｔ１〜ｔ２の間において、次の２つのショット中に取得することができ、Ｃとラベルされた領域の画像データは、間隔ｔ２〜ｔ３の間において、次の２つのショットによって取得することができ、最後の２つのショットは、間隔ｔ３〜ｔ４にＤとラベルされた領域における画像データを取得することができる。同様に、次のリファレンス画像（例えば、（ｘ＋１）番目の画像）では、領域Ａから領域Ｄの順にｋ空間画像データが取得される。２つのリファレンス画像から得られた標的の位置情報は、データ取得中の中央時間または平均時間における標的の位置を表す（すなわち、それぞれ第ｘ番目の画像におけるｔ２および（ｘ＋１）番目の画像におけるｔ６）。標的の動きが連続的で安定している場合、ｔ２とｔ６との間の取得時間に、標的位置を補間する（interpolate）ことができる。例えば、図示されているように、標的位置の１座標が、ｘ番目のリファレンス画像において３０の値（例えば、ｍｍまたはピクセル）、および（ｘ＋１）番目のリファレンス画像において７０の値を有するように決定された場合、ｘ番目の画像の領域Ｃおよび領域Ｄにおける画像データを取得する際の標的座標の値は、それぞれ３５および４５として補間されてもよい。同様に、（ｘ＋１）番目のリファレンス画像の領域Ａおよび領域Ｂにおけるデータを取得する場合の標的座標の値は、それぞれ５５および６５として補間されてもよい。補間プロセスは、各リファレンス画像におけるｋ空間データの各領域がその関連する標的位置を有するように、ライブラリ全体にわたって、リファレンス画像の様々な領域に対して実行されてもよい。以下にさらに記載するように、部分ｋ空間画像データが処理中に取得された場合に、この補間アプローチは、より正確な標的情報を供することができるという利点がある。なお、リファレンス画像の各領域は、ｋ空間画像データの量が同じであっても異なっていてもよく、各領域における画像データを取得するために必要な時間の長さに基づいて補間が計算されることに留意されたい。さらに、それらの領域は重なり合っていてもよい。
【００３３】
それぞれの取得されたリファレンス画像の全ｋ空間画像データおよび／または全実空間画像データは、リファレンスライブラリに保存されてもよい。あるいは、保存要件を軽減するために、目的の対象に関連する取得されたｋ空間画像データの一部分（すなわち、サブ画像マトリックス）および／または実空間画像データの一部分（すなわち、サブ画像）のみを保存することが可能である。保存されたリファレンス画像は、ステップ２０２、２０４で最初に取得された（または再構成された）リファレンス画像よりも空間分解能が低く、および／または画像フレームサイズがより小さくてもよい。本明細書における、「全ｋ空間データ（entire k-space data）」または「ステップ２００で最初に取得されたｋ空間データ（k-space data initially acquired in step 200）」という用語は、標準的なＭＲＩ走査手順を使用して得られる、例えば１６×１６、３２×３２、６４×６４、１２８×１２８、１２８×２５６、１９２×２５６または２５６×２５６のデータマトリックスを意味し、「部分ｋ空間データ（partial k-space data）」という用語は、「全ｋ空間データ」よりも小さい次元を有する任意のマトリックス（すなわち、順序付けられたデータ配列）を意味する。
【００３４】
一実施形態では、ｋ空間における位相符号化方向（すなわち行）および／または周波数符号化方向（すなわち列）のいくらかの生データは省略され、リファレンスライブラリに保存されない。例えば、図４Ａを参照すると、ライブラリは、全ての単一列に生データを含んでよい一方、１行おきに位置付けられた生データを含んでよい。これにより、そこから再構成された実空間画像の垂直方向におけるフレームサイズ（サブ画像）を５０％低減し得る。いくらかの実施形態では、サブ画像もリファレンスライブラリに保存される。このアプローチを使用して構築されたリファレンスライブラリは、サブ画像を含むが、サブ画像の空間解像度は妥協されない。すなわち、サブ画像は、最初に取得された生データから再構成される画像と同じ解像度を有する。
【００３５】
別の実施形態では、ｋ空間における最も周辺の走査線（または「外側領域」）における生データは切り捨てられ、ｋ空間中心（または「中央領域」）に近い部分におけるデータのみが保存される。例えば、図４Ｂを参照すると、ライブラリは、位相符号化方向においてｋ空間中央領域に近い生データの５０％のみを保存してよく、外側領域における生データの残りの５０％を破棄する。このアプローチの利点は、例えば、実空間画像のフレームサイズを保持することを含むことである。しかし、高い空間周波数におけるデータが省略されているため、実空間画像におけるエッジおよび詳細についての情報が失われる可能性がある。したがって、このアプローチは、再構成された実空間画像の解像度を低下させる可能性がある。本明細書における「中心領域（center region）」は、ｋ空間における周辺部を形成する生データのシーケンスを除く、全ての生ｋ空間データを含んでもよい。あるいは、「中心領域」は、半径方向範囲の一部、例えば１０％、２０％、５０％などを含んでもよい。「外側領域（outer region）」は、典型的に、中央領域の外側の全ての生データを含む。
【００３６】
全生画像データまたはその一部のみをライブラリに保存するかどうかを決定するためには、保存容量、目的の対象の形状およびサイズ、画像の必要最小限の解像度などを含む、種々の要素を見積もる必要がある。例えば、目的の対象がその長さおよび幅において非対称形状（例えば、長方形もしくは楕円形の形状）を有し、および／またはその空間分解能が重要な事項である場合、図４Ａに示すように、位相符号化方向における部分データおよび周波数符号化方向における全データを保存することが適切であってもよい。しかしながら、目的の対象がその長さおよび幅において同等のサイズを有し、および／またはその詳細の重要性がそれほど重要でない場合、図４Ｂに示すように、リファレンスライブラリは、ｋ空間中心により近い生データの一部分を保存してもよい。
【００３７】
再び図２を参照して、ステップ２０８において、ステップ２０６における画像から得られた位置情報（ｋ空間データの各領域に関連する補間された標的位置を含む情報）および／または生ｋ空間画像の取得中に取得された補完情報は、リファレンスライブラリにおけるそれぞれの（ｋ空間および／または実空間の）画像に沿って、およびそれに関連して保存されてもよい。例えば、各リファレンス画像は、それに関連付けられた位置情報と組み合わされて（１以上のデータファイルを含むことができる）リファレンスレコードになり得る。あるいは、リファレンス画像および位置情報は、異なるデータ構造および／または異なるメモリ位置に保存されてもよく、追加のデータベースは、関連する位置情報とともに各画像をリンクしてもよい。
【００３８】
準備ステップ２００〜２０８で構築されたリファレンスライブラリは、リアルタイム標的トラッキングのための目的の手順の間に続いて使用される。これは、いくらかの実施形態において、標的の処理が始まる前に準備工程が完了したことを意味する。別の実施形態では、特定の処理シーケンスのための準備ステップは、より早い処理シーケンス中に行われる。例えば、腫瘍の集束超音波アブレーションは、２以上のフェーズ（すなわち、腫瘍の中心領域が標的化される第１フェーズと、腫瘍の末梢領域が超音波に曝露される１以上の後続フェーズ）において実施されてよい。処理が進むにつれて腫瘍を取り囲む健康な組織へのリスクが増大するので、正確なリアルタイムのイメージングの必要性がある。したがって、第１フェーズ中の動きトラッキングは、従来の手段（すなわち、リファレンスライブラリに依存しない手段）による標的位置特定を可能にするのに十分低いイメージングレートで進行し、後続フェーズの動きトラッキングは、第１フェーズからの処理画像をリファレンス画像として使用して、より高いイメージングレートを可能にする。一般に、処理が複数の別個の処理シーケンスを含む場合、同じリファレンスライブラリを全てのシーケンスに使用してもよいし、または１以上の先行するシーケンス中に得られた画像を新しいリファレンス画像として使用して、各シーケンスのためにリファレンスライブラリをリセットしてもよい。さらに、いくらかの実施形態では、取得されたリファレンス画像のサブセット（例えば、呼吸サイクル中に得られた１つおきの画像）のみが、目的の処理シーケンスの前に処理され、標的トラッキングのための初期リファレンスライブラリとして使用され、目的の処理シーケンス中に、残ったリファレンス画像が続いて処理され、リファレンスライブラリを精緻化する。
【００３９】
種々の実施形態では、標的の処理中に、目的の解剖学的領域が、例えば１００ｍｓごとに繰り返してイメージングされ（ステップ２１０）、処理画像シーケンスが作成される。種々の実施形態では、画像取得時間を短縮するための処理中に、部分的な生ｋ空間画像データ（または、ステップ２０２で取得された全ｋ空間画像データとは対照的な「サブ画像マトリックス」）のみが取得される。処理中に取得された部分生画像データとリファレンスライブラリに保存された画像データの対応する部分とを比較することにより、各画像フレームにおける目的の対象（一般に動く対象）の位置が決定され、最もマッチングしたリファレンス画像が、画像類似性の適切なメトリック（ステップ２１２）を使用して識別される。例えば、図５Ａおよび図５Ｂを参照して、処理画像の領域Ａ、Ｂ、ＣおよびＤにおけるｋ空間データは、リファレンスライブラリにおけるリファレンス画像（図３参照）の領域Ａ、Ｂ、ＣおよびＤそれぞれにおけるｋ空間画像データと比較してもよい。
【００４０】
同様に、比較が実空間画像に対して実行される場合、処理サブ画像は、リファレンス画像に保存された実空間画像のそれぞれの対応する部分とのみ比較されてもよい。あるいは、各画像内の処理サブ画像または部分生データを最もマッチングさせる領域を識別するために、処理サブ画像または部分生データと、（リファレンス画像は、処理サブ各画像よりも大きなフレームサイズを有し得るため）リファレンス画像における様々な部分との間の類似性を計算するように、画像解析（例えば、パターンマッチング）を実行してもよい。続いて、最もマッチングしたリファレンス画像が、その中の最もマッチングした部分の類似性に基づいて、選択される。
【００４１】
画像比較は、例えば、ｋ空間または実空間画像データに基づいてもよい。すなわち、画像比較は、処理中に取得される部分生データからの実空間処理サブ画像の再構成を、必ずしも必要ではないが、含んでもよい。典型的には、比較はピクセル単位で行われる。ここで、「ピクセル」は、画像データアレイの要素（element）を指し、一般に、実空間座標またはｋ空間座標の関数として、振幅値および位相値をそれぞれ保存する。適切な類似性メトリックは、例えば、相互相関係数、二乗強度差の合計、相互情報（確率理論および情報理論で使用されるような情報）、比率画像一様性（すなわち、対応するピクセル値の標準偏差の標準化）、平均平方誤差、絶対差の合計、平方誤差の合計、（２つの画像における対応するピクセル間の差のアダマールもしくはは他の周波数変換を使用する）絶対的な変換された差の合計、または（ＭＲＩ画像などの複雑な画像の場合での）複雑な相互相関、および画像登録に関連して、当業者に既知の他の技術が含まれる。
【００４２】
いくらかの実施形態では、選択された類似性メトリックによって測定されるような、処理サブ画像（または部分生データ）と最も近いリファレンス画像との間の類似性が（メトリック固有の）類似性閾値と比較され、類似性のレベルが閾値のレベルを超える場合（典型的には、差異を測定するメトリックの場合、すなわち、画像間の、メトリックの値が閾値を下回る非類似性を意味する）にのみ、リファレンス画像が処理サブ画像に対するマッチングとみなされる。他の実施形態では、処理画像に最も類似するリファレンス画像は、絶対的な類似性にかかわらずマッチングしているとみなされる。
【００４３】
図５Ａ〜図５Ｄを参照して、処理中、ｋ空間は複数の領域、（例えば、領域Ａ〜Ｄ）に分割されてもよい。領域Ａの画像データを取得すると、マッチングプロセス（すなわち、対応する画像データ（つまり、ライブラリに保存されたリファレンス画像の領域Ａにおける画像データ）に対する取得された画像データの比較）が実質的に同時に実行され、取得された処理画像データと「マッチングする（match）」１以上のリファレンス画像を識別する。識別されたリファレンス画像の数が、所定の閾値（例えば、５つ未満のリファレンス画像がマッチングする処理画像として識別される閾値）を下回る場合、さらに以下に記載するような、補完情報（例えば、追加の画像関連情報および／または動き関連情報）が、処理画像に最もよくマッチングする１つのリファレンス画像を決定するために供されてもよい。しかし、識別されたリファレンス画像の数が所定の閾値を超える場合、データ取得プロセス（すなわち、領域Ｂにおける画像データの取得）が継続される。処理画像データとマッチングするように識別されたリファレンス画像の数が所定の閾値を下回るまで、データ取得プロセスをさらに継続してもよい（例えば、図５Ｃに示す領域Ｃにおけるデータを取得してから、図５Ｄに示す領域Ｄにおけるデータを取得する）。もちろん、図５Ａ〜図５Ｄに示すｋ空間データ取得のための例示的なシーケンスは、記載目的のみのためであり、処理画像の品質を最適化し、データ収集時間を短縮するために、あらゆる取得シーケンスを使用してもよい。
【００４４】
さらに、処理画像における各領域のサイズは、１以上のデータ行を含んでよく、動的に変化してもよい。例えば、「マッチングした」リファレンス画像の数を所定の閾値よりも少なくするために、先行する処理画像が領域Ａおよび領域Ｂにおける画像データの取得を必要とする場合、直近の処理画像における領域Ａ内の面積は、先行する処理画像における領域Ｂの面積の半分を含むように拡張してもよい。しかし、先行する処理画像の領域Ａにおける画像データが、所定の閾値よりも少ないリファレンス画像の数を識別するのに十分である場合、直近の画像における領域Ａの面積は、先行する処理画像の領域Ａにおける面積のサイズの半分に低減されてもよい。さらに、画像データの取得および処理は、順次または同時に実行されてもよい。例えば、領域Ａにおける画像データは、ライブラリ内のリファレンス画像を識別するために処理されるが、領域Ｂにおける画像データは同時に取得されてもよい。
【００４５】
図６は、種々の実施形態による処理画像内の画像データの取得および処理を示すフローチャート６００である。第１ステップ６０２では、第１領域におけるｋ空間画像データが処理中に取得される。第２ステップ６０４では、（ｋ空間または実空間における）取得された画像データは、実質的に同時に処理されて、１以上のマッチングするリファレンス画像を識別する。識別されたリファレンス画像の数が所定の閾値を下回る場合、補完情報が供されて、処理画像に最もよくマッチングする１つのリファレンス画像を決定する（ステップ６０６）。しかし、識別されたリファレンス画像の数が所定の閾値を超えている場合、データ取得プロセスは継続する。すなわち、次の領域の画像データを取得する（ステップ６０８）。ステップ６０２、６０４、６０８は、ステップ６０４で識別されたリファレンス画像の数が所定の閾値を下回るまで反復的に実施することができる。この場合も、処理中に取得された各領域における生ｋ空間データの量および位置は、動的に変化し得る。
【００４６】
ｋ空間画像データの取得が２つの画像マトリックス間の類似性を計算することに比べて比較的長いプロセスであるので、このアプローチは、処理中の（トラッキングのための）画像取得時間を、取得された処理データと最もよくマッチングするリファレンス画像を識別する間に、部分ｋ空間画像データのみを取得することによって低減することができ、それによって、以下にさらに記載するように、マッチングするリファレンス画像から直近の処理画像における目的の対象の位置を供することができる。
【００４７】
一般に、上述したように、リファレンスライブラリは、ステップ２００で最初に取得された全生データを保存するが、部分ｋ空間データのみが処理中にトラッキングするために必要とされる。いくらかの実施形態では、リファレンスライブラリは部分生データを保存し、処理中に、生ｋ空間データがリファレンスライブラリに保存された部分データに基づいて取得される。リファレンスライブラリに保存された画像データの量にかかわらず、処理中に部分ｋ空間データを取得するために様々なアプローチを実施することができる。例えば、図７Ａを参照して、位相符号化方向における少ない（例えば、１行おきに取得される）走査線数でトラッキングに用いるｋ空間画像データを取得してよく、一方で、列毎に周波数符号化方向におけるデータを取得し、画像取得時間を低減する。低減された生データ量から再構成された実空間画像のフレームサイズは、垂直方向に５０％減少するが、実空間画像の空間解像度は、全ての行からの画像データを有する画像の空間解像度と同じである。したがって、このアプローチは、非対称形状を有する（すなわち、幅と著しく異なる長さを有する）解剖学的領域をイメージングするのに適している。しかし、解剖学的領域が同等の長さおよび幅を有する場合でさえ、このアプローチを使用して部分生データを取得することが可能であることに留意されたい。解剖学的領域の幅が画像の垂直視野よりも大きい場合、折り返しアーチファクトが現れることがある。種々の実施形態では、このアーチファクトは、あらゆる適切な技術（例えば、目的領域を囲む面積を選択的に飽和させるＭＲＩシーケンスを適用すること）を使用して除去される（または少なくとも低減される）。
【００４８】
別の実施形態では、画像走査のパーセンテージが低減される。すなわち、処理中の画像取得時間を短縮するように、ｋ空間の一部のみが走査される。例えば、図７Ｂを参照して、位相符号化方向におけるｋ空間の中央領域に位置するデータ点のみを取得し、一方で位相符号化方向における外側領域に位置する残りのデータは取得しない。このアプローチは、高い空間周波数でのデータの省略に起因する実空間画像における解像度低下をもたらす場合があるが、実空間画像のフレームサイズは、有利には変化しないままである（高周波数データおよび低周波数データの両方を含む画像のフレームサイズに対応する）。
【００４９】
図７Ｃを参照して、さらに別の実施形態では、ｋ空間画像データは、図７Ａおよび図７Ｂで記載したアプローチの組合せを使用して取得される。すなわち、ｋ空間の中心領域に位置するデータのみを取得し、位相符号化方向における少ない走査線数で中心領域におけるデータを取得し、毎列ごとに周波数符号化方向におけるデータを取得する。
【００５０】
ｋ空間マトリックスにおける全てのデータ点には、完全な実空間画像を再構成するために必要な情報の一部が含まれているため、ｋ空間データを小さくすると、実空間画像の空間解像度および／またはフレームサイズが小さくなる場合がある。例えば、高い空間周波数でより小さいｋ空間データを取得すると、再構成された画像における、境界および輪郭ならびに構造の詳細に関する情報が少なくなる場合があり、一方で、低い空間周波数でより小さいｋ空間データを取得すると、より小さい画像コントラストをもたらす場合がある。処理画像がより小さい解像度および／またはより小さいフレームサイズを有する場合、最もマッチングするリファレンス画像を識別しようとするときに、結果が曖昧となる場合がある。すなわち、複数のリファレンス画像が識別される場合がある。
【００５１】
例えば、図８を参照して、リファレンスライブラリは、呼気ステージ８０４および吸入ステージ８０６を含む、呼吸サイクル中に時分割されたインターバルで得られた目的の解剖学的領域のリファレンス画像のシリーズ８０２を含んでよい。処理中にサブ画像またはより解像度の低い画像８０８が取得された場合、処理画像との、高く、また比較的同等の類似性を有する２つのリファレンス画像（例えば、呼気ステージ８０４中に得られた１の画像８１０、および吸入ステージ８０６中に得られた別の画像８１２）があってよい。
【００５２】
再び図２を参照して、種々の実施形態では、補完情報（例えば、画像関連情報および／または動き関連情報）を供するために、目的の対象は、処理画像の取得中に他の手段によって実質的に同時にトラッキングされる。これによって、リファレンス画像中の曖昧さを解決できる（ステップ２１４）。一実施形態では、補完トラッキングシステム１２０が、ＭＲＩ装置１００に実装されるか、または補完情報を供するために患者に取り付けられる（図１参照）。例えば、動きセンサ（例えば、呼吸モニタベルト）を患者の胸部の周りに巻き付けて、呼吸サイクルのステージに関する情報を供することができる。この情報を使用して、先行するステップ２１０、２１２で識別された複数のリファレンス画像の中から最もマッチングしたリファレンス画像を選択する（ステップ２１６）。例えば、呼吸モニタベルトが、患者が吸入ステージにあることを示す場合、図８における画像８１２は、処理画像に最もよくマッチングするリファレンス画像であると決定される。これは、例えば、呼吸サイクル中にいつ取得されたかを示す画像を伴うメタデータを含むことによって達成されてよい。他の実施形態では、処理中に取得された補完情報は、リファレンスライブラリに保存された補完情報と比較される。補完情報と画像類似性との比較に基づいて、部分生データ（および／またはサブ画像）および処理中に取得された補完情報に最もマッチングするリファレンス画像が識別される。
【００５３】
あるいは、補完情報は、先行する画像において識別された標的の動きによって供されてもよい。例えば、先行する少数の処理画像の分析が、標的が吸入していることを示す場合、マッチングするリファレンス画像は、吸入ステージのみに対応する（例えば、特定されるメタデータでマークされた）画像から選択される。したがって、図８の状況において、曖昧さは解決され、リファレンス画像８１２は最もマッチングしたリファレンス画像であると判定される。
【００５４】
補完情報を考慮した後であっても直近の処理画像とマッチングすると識別された２つ以上のリファレンス画像が存在する場合、処理手順は、いくらかの実施形態では、短期間の場合（例えば、１または２の画像フレームの場合）、継続されてもよく、マッチングしたリファレンス画像がその後に取得された処理画像のために識別された場合、手順の遅延が回避される。その間に、超音波ビームは、直近の解決されたトラッキング点に基づいて、静止しているか、または（例えば、予測アルゴリズムによって）方向づけられてもよい。しかし、画像をスキップすることが安全でない場合、または多くの連続する処理画像がリファレンスライブラリ画像のいずれともマッチングできない場合、手順は、標的位置が確認されるまで（例えば、従来の、計算上より高価な手段によって）停止または中断され、その後に再開される。
【００５５】
図９Ａを参照して、典型的にはＭＲＩ走査の間、ｋ空間データは連続的な行単位で取得される。しかし、この取得シーケンスは、目的の動く解剖学的対象をリアルタイムでトラッキングするのに効率的ではない場合がある。種々の実施形態では、処理中のｋ空間におけるデータ取得のシーケンスは、各ｋ空間位置に符号化された情報のタイプに基づいて決定される。例えば、図９Ｂを参照して、一実施形態では、ｋ空間画像データは、大きな位相符号化領域および小さな位相符号化領域において交互に取得される。別の実施形態では、図９Ｃを参照して、高周波領域と低周波領域とでｋ空間の画像データを交互に１行ずつ取得する。
【００５６】
種々の実施形態において、図９Ｄを参照して、ｋ空間データを螺旋状に取得する。上述のような処理中の部分ｋ空間データの取得は、この走査アプローチにも同様に適用されてもよい。例えば、第１ショットから取得された画像データを、リファレンスライブラリに保存された対応する画像データ（すなわち、同じ螺旋軌道上に位置する画像データ）と比較し、１以上のマッチングするリファレンス画像を識別してもよい。さらに、処理標的または目的の他の対象の位置をリアルタイムでトラッキングすることを可能にしつつ、走査ショットの数および位置をデータ取得の遅延を低減するために変化させてもよい。
【００５７】
再び図２を参照して、一旦マッチングするリファレンス画像が識別されると、そのリファレンス画像に関連する前に決定された位置情報から、標的の位置を容易に推測することができる（ステップ２１８）。例えば、保存された位置情報が標的座標自体を含むか、または標的座標自体からなる場合、これらの座標は、直近の処理画像における標的の座標であると解釈される。したがって、再構成された処理画像における標的または他のランドマークを識別する必要なしに、標的をリアルタイムでトラッキングすることができる。さらに、いくらかの実施形態では、各処理画像が、両方の画像の生データまたはその一部に基づいて、リファレンス画像の１つに関連付けられる場合、処理画像の再構成自体は不要である。例えば、再び図３および図５Ａを参照して、（ｘ＋１）番目の画像の領域Ａにおけるｋ空間データ（図３参照）が、処理画像の領域Ａにおける画像データ（図５参照）と最もマッチングするように識別される場合、（ｘ＋１）番目のリファレンス画像において、領域Ａに関連する標的位置の座標から処理画像における標的位置の座標が推測される。したがって、図５Ａの処理画像における標的位置の１の座標は、（ｘ＋１）番目のリファレンス画像の領域Ａに関連する値５５を有する。補間アプローチは、特に、部分ｋ空間データのみが取得され、リファレンスライブラリにおける部分生データとの比較に使用される場合に、処理中に標的位置をより正確に識別することを有利に可能し得る。
【００５８】
トラッキングされた標的座標に基づいて、任意の標的の動きを補償するように、超音波（または他の処理エネルギー）ビームを処理手順中に導いてよい（ステップ２２０）。同様に、非標的器官または非標的組織がトラッキングされる場合、それらの座標は、処理エネルギーへのそれらの暴露を回避または最小限に抑えるように、超音波（または他のエネルギー）ビームを導き、および／または形成するために使用されてもよい。特に、音響ビームによる損傷を受け易い器官は、高い考慮がしばしば必要であり、そのような器官の位置は、エネルギービームが標的を加熱するように形成され、一方でセンシティブな動く隣接器官への損傷を回避するようにビーム形成中に考慮されてもよい。
【００５９】
いくらかの実施形態では、リファレンスライブラリは、手順中にリアルタイムで得られる画像に基づいて拡張される。例えば、新たに取得された画像が、初期リファレンスライブラリに集合的に表された領域の外に標的（または他の目的の対象）の位置があることを明らかにする場合、新たに取得された画像を分析して標的の位置を決定し、位置情報と共にリファレンスライブラリに追加される。オプションとして、画像処理中に処理を一時停止し、画像分析が完了した後に再開してもよい。極端な場合では、手順の開始時にリファレンスライブラリが空であってもよく、手順が実行されるときにリファレンス画像が連続的に追加されてもよい。これは、正確さの低下が臨床的に許容可能である場合、計算のオーバーヘッド（例えば、ライブラリが大きい、また先行するセッションからの画像を含む場合）、または計算の効率性を犠牲にして精度間の設計上のトレードオフを容易にする（例えば、先行するセッションからのリファレンス画像が直近の処理画像シーケンスと関連する可能性が低い場合、この場合においてリファレンスライブラリは直近のシーケンス中に構築される）。
【００６０】
トラッキングされた標的動きが周期的（例えば、呼吸サイクル中）である用途では、リファレンス画像は、典型的には、動きのサイクル中に連続的に採取され、したがって、処理手順中のトラッキング精度は、トラッキングの結果をリファレンスライブラリに対してフィルタリングすることによって改善することができる。例えば、処理中の経時的な標的動きを示す曲線は、リファレンスライブラリの取得中の経時的な標的動きに基づいて比較され、スムージングされてもよい。さらに、リファレンスライブラリの画像に反映された標的動きは、誤ったトラッキング結果を検出するように供することができる（例えば、ある時点で、トラッキングされた標的がサイクルにおけるその期間中の動きの傾向に逆らって動くようにみえる）。
【００６１】
いくらかの実施形態では、手順中のイメージングは、インビボ温度を定量的にモニタするために共に使用される。これは、処理の進行を評価するため、ならびに処理領域の周囲の組織への損傷を回避するように、熱伝導およびエネルギー吸収における局所的な差を補正するために、処理領域（例えば、熱によって破壊される腫瘍）の温度を連続的にモニターする必要があるＭＲガイド熱療法（例えば、ＭＲｇＦＵＳ処理）において特に有用である。ＭＲイメージングによる温度のモニタリング（例えば、測定および／またはマッピング）は、一般に、ＭＲサーモメトリーまたはＭＲサーマルイメージングと呼ばれる。
【００６２】
ＭＲサーモメトリーに利用可能な様々な方法の中で、プロトン共鳴周波数（ＰＲＦ）シフト法は、温度変化に対する優れた線形性、組織タイプからの近独立性、ならびに高い空間的解像度および時間的解像度を有する温度マップ取得のためにしばしば選択される方法である。ＰＲＦシフト法は、水分子中のプロトンのＭＲ共鳴周波数が温度と共に線形的に変化する（比例定数が有利には組織タイプ間で比較的一定である）現象に基づいている。温度による周波数変化は小さいので、バルク水については０．０１ｐｐｍ／℃、組織では約−０．００９６〜−０．０１３ｐｐｍ／℃であり、ＰＲＦシフトは、典型的に、イメージングが２回行われる位相感受性イメージングで検出される。位相感受性イメージングでは、まず、温度変化の前にベースラインＰＲＦ位相画像を取得すること、次いで、温度変化の後に第２位相画像（すなわち、処理画像）を取得すること、それによって、温度変化に比例する小さな位相変化を捕捉することができる。次いで、静磁場の強度およびエコー時間（ＴＥ）（例えば、グラジエントリコールドエコー）などのイメージングパラメータを考慮しつつ、（再構成された、すなわち実空間の）画像から、ピクセルごとにベースライン画像と処理画像との間の位相差を決定し、その位相差をＰＲＦ温度依存性に基づいて温度差に変換することによって、温度変化のマップを計算することができる。
【００６３】
ベースライン画像の取得時のイメージング面積における温度分布が分かっている場合、処理画像に対応する絶対温度分布を得るために、そのベースライン温度に温度差マップを加えることができる。いくらかの実施形態では、ベースライン温度は、イメージング領域全体にわたって単純に均一な体温である。いくらかの実施形態では、より複雑なベースライン温度分布は、数学的適合（例えば、滑らかな多項式フィット）に基づく補間および／または外挿と組み合わせて、様々な位置での直接温度測定による処理の前に決定される。
【００６４】
ＭＲサーモメトリーの状況では、動きトラッキングは、上述のように、周期的または非周期的動作の予想範囲をカバーするリファレンス画像のライブラリを取得することによって、また処理に先行する解剖学的領域における温度に対応するベースライン位相マップを供することによって達成することができる。処理画像の温度マップを決定するために、（上述の方法のいずれかを使用して）空間的に整列されたベースライン画像が識別され、次いで、選択されたベースラインおよび処理画像が処理されて温度の変化が決定される。この方法は、しばしばマルチベースライン・サーモメトリーと呼ばれる。図１０Ａに示される従来の実装では、マルチベースライン・サーモメトリーは、超音波処理または他の温度影響処理（ステップ１０００、１００２）の前に（実空間の）ベースライン画像のライブラリを取得すること、超音波処理を実行すること（ステップ１００４）、処理領域、およびそこから実空間画像の再構成のための生画像データを取得する（ステップ１００６、１００８）、例えば、画像類似性基準および／または他のトラッキング手段によって供される補完的な情報に基づいて、ベースラインライブラリから適切なリファレンス画像を選択すること（ステップ１０１０）、ならびに処理画像およびリファレンス画像から熱マップを計算すること（ステップ１０１２）を含む。ベースライン画像が処理画像に十分に一致しない場合（例えば、標的が画像によってカバーされる領域外に移動したため）、処理は停止されるか（ステップ１０１４）、あるいは、上述のようにライブラリ拡張処理が開始される。さもなければ、温度は、反復画像取得、リファレンス選択、および処理によってモニターされ続けることができる。
【００６５】
図１０Ｂは、本発明の一実施形態による、ビーム調整およびサーモメトリーの目的のための動作トラッキングを組み合わせた方法を示す。再び、周期的または非周期的な動きの予測範囲をカバーするリファレンス／ベースライン画像のライブラリが、異なる動きステージ中に生画像データを取得することによって処理の前に生成され（ステップ１０２０）、オプションとして、そこから実空間リファレンス／ベースライン画像を再構成する（ステップ１０２２）。標的（および／または目的の解剖学的対象または特徴）は、それらの画像において（例えば、容易に識別可能な解剖学的ランドマークに対して）、先行する画像の計算的にシフトされたコピーに対する画像、他のトラッキング手段によって、または上述した方法のいずれかによって供される補足的な情報の関連付けを手段として、トラッキングされる（ステップ１０２４）。識別された標的位置（例えば、画像内の行番号および列番号または他の座標系の座標）は、それぞれのリファレンス画像に沿って、またはそれぞれのリファレンス画像に関連して（例えば、ジョイントデータレコードにおいて、要素がリファレンス画像にリンクされている分離したデータベースにおいて）保存される。処理中、処理領域について画像データが取得され（ステップ１０２８）、類似性に基づいてリファレンス／ベースライン画像が選択される（ステップ１０３０）。図示するように、ベースラインライブラリとの比較に使用される画像データは、再構成された実空間画像を構成する必要はない。むしろ、より典型的には、適切なリファレンス画像を識別するために（処理画像およびベースライン画像の両方の）生（ｋ空間）データを使用してもよい。いくらかの実施形態では、完全なｋ空間画像を収集する必要はない。その代わりに、リファレンス選択の目的で部分生データが使用される。
【００６６】
選択されたリファレンス画像およびそれに関連する標的座標に基づいて、（例えば、ビーム焦点を標的上に確実に保持するように、ビーム形成および／またはビームステアリングによって）超音波処理または他の処理手順を開始してよく、または調整してもよい（ステップ１０３２）。さらに、サーモメトリーを容易にするために、処理領域の生画像データの取得を（完了していない場合、）完了してもよく（ステップ１０３４）、また実画像を再構成してもよく（ステップ１０３６）、さらに温度マップを得るように当業者に既知の方法を用いて処理してもよい（ステップ１０３８）。さらに、ステップ１０３４で取得されたデータを使用して、よりアップデートされたトラッキングのための追加情報を供することができる。次いで、イメージングプロセスおよび温度マッピングプロセスは、同じまたは別のサブ超音波処理（すなわち、全体的な超音波処理の内の超音波処理のシーケンスの１つ）のために繰り返されてもよい。図示するように、実空間画像の再構成（ステップ１０３６）の前に、処理用エネルギービームを再形成または再方向付けをすること（ステップ１０３２）ができる。
このようにして、処理（例えば、超音波処理）、イメージングおよび画像処理を並行して実施することができ、全体の処理時間を短縮することができる。
【００６７】
本明細書による動きトラッキング方法は、図１に示すＭＲｇＦＵＳシステム１００などの（それ以外は従来の）画像ガイド処理システムを使用して、処理装置（例えば、超音波トランスデューサアレイの位相および振幅を設定するビームフォーマ）およびイメージング装置と連通する、補完トラッキングシステム１２０および適切な画像処理設備および制御設備（例えば、計算ユニット１１２と統合された設備）と組み合わせて実施することができる。画像処理設備および制御設備は、ハードウェア、ソフトウェア、ファームウェア、またはハードワイヤリングのあらゆる適切な組合せで実装することができる。図１１は、設備が適切にプログラムされた汎用コンピュータ１１００によって供される例示的な実施形態を示す。コンピュータは、中央処理ユニット（ＣＰＵ）１１０２、システムメモリ１１０４、および不揮発性大容量保存デバイス１１０６（例えば、１以上のハードディスクおよび／または光学保存ユニットなど）を含む。コンピュータ１１００は、双方向システムバス１１０８をさらに含み、双方向システムバス１１０８にわたってＣＰＵ１１０２、メモリ１１０４および保存デバイス１１０６は、互いに連通し、また内部または外部のインプット／アウトプットデバイス（例えば、従来のユーザインタフェースコンポーネント１１１０（例えば、スクリーン、キーボードおよびマウスを含むコンポーネント）、処理装置１１１２、イメージング装置１１１４、補完トラッキングシステム１１１６、および（オプションとして）絶対温度測定を容易にする温度センサ１１１８を含むデバイス）と連通している。
【００６８】
システムメモリ１１０４は、ＣＰＵ１１０２の動作および他のハードウェアコンポーネントとの相互作用を制御する、モジュールのグループとして概念的に示された指示を含む。オペレーティングシステム１１２０は、大容量保存デバイス１１０６のメモリ割り当て、ファイル管理およびオペレーションなどの低レベル基本システム機能の実行を指示する。より高いレベルでは、１以上のサービスアプリケーションが、画像処理、動きトラッキング、および（オプションとして）サーモメトリーに必要な計算機能を供する。例えば、図示するように、システムは、イメージング装置１１１４から受信した生画像データから実空間画像を再構成するための画像再構成モジュール１１２２と、（生画像または再構成された画像いずれの）処理画像とリファレンス画像との間の類似性を測定する類似性測定モジュール１１２４と、測定した類似性、ならびにオプションとして補完トラッキングシステム１１１６から受信した補完情報、および／または画像分析モジュール１１２８によって供される位置情報および／またはステージ情報に基づいて、適切なリファレンス画像を選択するためのリファレンス選択モジュール１１２６とを含む。画像解析モジュール１１２６は、再構成されたリファレンス画像から目的の標的および／または他の対象の位置情報および／またはステージ情報を抽出する。さらに、システムは、検出された動きを補償するために、処理装置の位相シフトまたは他のパラメータを計算するためのビーム調整モジュール１１３０と、処理画像からリファレンスを減算して温度差マップを得る熱マップモジュール１１３２とを含んでもよく、選択されたリファレンスベースラインに対応する絶対温度が分かっている場合には、処理画像の絶対温度マップを取得する。様々なモジュールは、限定する訳ではないが、Ｃ／Ｃ＋＋、Ｃ＃、Ａｄａ、Ｂａｓｉｃ、Ｃｏｂｒａ、Ｆｏｒｔｒａｎ、Ｊａｖａ、Ｌｉｓｐ、Ｐｅｒｌ、Ｐｙｔｈｏｎ、Ｒｕｂｙ、もしくはＯｂｊｅｃｔ Ｐａｓｃａｌなどの高レベル言語、または低レベルのアセンブリ言語を含む、あらゆる適切なプログラム言語においてプラグラムされてもよい。いくらかの実施形態では、異なるモジュールが異なる言語でプログラムされる。
【００６９】
本発明は、処理前にリファレンスライブラリを確立すること、処理中に新しい画像シーケンスを取得すること、および処理画像とライブラリに保存されたリファレンス画像との間の画像マッチングを実行することによって動く解剖学的対象をトラッキングすることを参照して記載されているが、解剖学的対象の動きトラッキングが処理中にのみ行われるべきであることを意図していない。むしろ、上述のアプローチは、２段階の手順が含まれている場合に、動く標的をトラッキングするためのあらゆるアプリケーションで実施されてもよい。リファレンスライブラリは、画像レートがあまり重要でないか、重要でない１段階で構成されてよく、新しい画像シーケンスは、リアルタイムの画像レートが好ましい別のステージで取得される。
【００７０】
本明細書で使用される用語および表現は、説明としての用語および表現として使用され、限定ではなく、そのような用語および表現の使用において、示され記載された特徴またはその一部分の均等物を排除することを意図するものではない。さらに、本発明の特定の実施形態を記載したが、本発明の主旨および範囲から逸脱することなく、本明細書に開示された概念を組み込んだ他の実施形態を使用することができることは、当業者には明らかであろう。したがって、記載された実施形態は、全ての点において、例示的なものであって制限的でないとみなされるべきである。
【図１】
2019522517.tif 000003
【図２】
2019522517.tif 000004
【図３】
2019522517.tif 000005
【図４Ａ】
2019522517.tif 000006
【図４Ｂ】
2019522517.tif 000007
【図５Ａ】
2019522517.tif 000008
【図５Ｂ】
2019522517.tif 000009
【図５Ｃ】
2019522517.tif 000010
【図５Ｄ】
2019522517.tif 000011
【図６】
2019522517.tif 000012
【図７Ａ】
2019522517.tif 000013
【図７Ｂ】
2019522517.tif 000014
【図７Ｃ】
2019522517.tif 000015
【図８】
2019522517.tif 000016
【図９Ａ】
2019522517.tif 000017
【図９Ｂ】
2019522517.tif 000018
【図９Ｃ】
2019522517.tif 000019
【図９Ｄ】
2019522517.tif 000020
【図１０Ａ】
2019522517.tif 000021
【図１０Ｂ】
2019522517.tif 000022
【図１１】
2019522517.tif 000023
【国際調査報告】
2019522517.tif 000024
2019522517.tif 000025
2019522517.tif 000026